(57)【特許請求の範囲】
【請求項１】
複数の電極を有する電極群と、当該電極群を収容する電槽と、を備え、
前記電極群において前記電極が、前記電槽の高さ方向に交差する方向に配列されており、
前記電槽が、前記電極の配列方向に対向する一対の内壁と、当該内壁に接すると共に前記高さ方向に延びるリブと、を有し、
前記リブが、前記配列方向における前記電極群の少なくとも一方の端部の最外電極の耳部と、前記一対の内壁のうちの当該耳部に近い方の内壁との間の位置に配置されておらず、
前記リブの上端部が、前記高さ方向において前記最外電極の前記耳部の下端と同等の位置又はそれより下側に位置しており、
前記配列方向における前記電極群の一方の端部の最外電極が正極であると共に他方の端部の最外電極が負極である、鉛蓄電池。
【請求項２】
複数の電極を有する電極群と、当該電極群を収容する電槽と、を備え、
前記電極群において前記電極が、前記電槽の高さ方向に交差する方向に配列されており、
前記電槽が、前記電極の配列方向に対向する一対の内壁と、前記配列方向に交差する方向に対向する一対の側部と、前記内壁に接すると共に前記高さ方向に延びるリブと、を有し、
前記リブが、前記配列方向における前記電極群の少なくとも一方の端部の最外電極の耳部と、前記一対の内壁のうちの当該耳部に近い方の内壁との間の位置に配置されていないと共に、当該耳部に近い方の内壁において、当該耳部と、前記一対の側部のうちの当該耳部に近い方の側部と、の間の位置に配置されておらず、
前記配列方向における前記電極群の一方の端部の最外電極が正極であると共に他方の端部の最外電極が負極である、鉛蓄電池。
【請求項３】
複数の電極を有する電極群と、当該電極群を収容する電槽と、を備え、
前記電極群において前記電極が、前記電槽の高さ方向に交差する方向に配列されており、
前記電槽が、前記電極の配列方向に対向する一対の内壁と、前記配列方向に交差する方向に対向する一対の側部と、前記内壁に接すると共に前記高さ方向に延びるリブと、を有し、
前記リブが、前記配列方向における前記電極群の少なくとも一方の端部の最外電極の耳部と、前記一対の内壁のうちの当該耳部に近い方の内壁との間の位置に配置されていないと共に、当該耳部に近い方の内壁において、当該耳部と、前記一対の側部のうちの当該耳部に近い方の側部と、の間の位置に配置されておらず、
前記リブの上端部が、前記高さ方向において前記最外電極の耳部の下端と同等の位置又はそれより上側に位置しており、
前記最外電極が正極を含む、鉛蓄電池。
【請求項４】
前記リブが、前記配列方向における前記電極群の両端部の最外電極のそれぞれの耳部と、前記一対の内壁のうちの当該耳部に近い方の内壁との間の位置に配置されていない、請求項１〜３のいずれか一項に記載の鉛蓄電池。
【請求項５】
前記リブが、前記電槽を前記高さ方向から見たときに、前記最外電極の前記耳部と、前記一対の内壁のうちの当該耳部に近い方の内壁との間の位置に配置されていない、請求項１〜４のいずれか一項に記載の鉛蓄電池。
【請求項６】
前記電極群が、前記最外電極である第１の電極と、当該第１の電極に隣接する第２の電極と、を有し、
前記リブが、前記第２の電極の耳部と、前記一対の内壁のうちの前記第２の電極の前記耳部に近い方の内壁との間の位置に配置されていない、請求項１〜５のいずれか一項に記載の鉛蓄電池。
【請求項７】
前記リブが、前記電槽を前記高さ方向から見たときに、前記第２の電極の前記耳部と、前記一対の内壁のうちの前記第２の電極の前記耳部に近い方の内壁との間の位置に配置されていない、請求項６に記載の鉛蓄電池。
【請求項８】
複数の電極を有する電極群と、当該電極群を収容する電槽と、を備え、
前記電極群において前記電極が、前記電槽の高さ方向に交差する方向に配列されており、
前記電極群が、前記電極の配列方向における当該電極群の両端部の最外電極である第１の電極と、当該第１の電極に隣接する第２の電極と、を有し、
前記電槽が、前記配列方向に対向する一対の内壁と、当該内壁に接すると共に前記高さ方向に延びるリブと、を有し、
前記リブが、前記第１の電極の耳部と、前記一対の内壁のうちの当該耳部に近い方の内壁との間の位置に配置されていないと共に、前記電槽を前記高さ方向から見たときに、当該耳部に近い方の内壁において、前記第１の電極の耳部と、前記第２の電極の耳部と、の間の位置のみに配置されており、
前記電極群において、一方の前記第１の電極が正極であると共に他方の前記第１の電極が負極である、鉛蓄電池。
【請求項９】
複数の電極を有する電極群と、当該電極群を収容する電槽と、を備え、
前記電極群において前記電極が、前記電槽の高さ方向に交差する方向に配列されており、
前記電極群が、前記電極の配列方向における当該電極群の少なくとも一方の端部の最外電極である第１の電極と、当該第１の電極に隣接する第２の電極と、を有し、
前記電槽が、前記配列方向に対向する一対の内壁と、当該内壁に接すると共に前記高さ方向に延びるリブと、を有し、
前記リブが、前記第１の電極の耳部と、前記一対の内壁のうちの当該耳部に近い方の内壁との間の位置に配置されていないと共に、前記電槽を前記高さ方向から見たときに、当該耳部に近い方の内壁において、前記第１の電極の耳部と、前記第２の電極の耳部と、の間の位置のみに配置されており、
前記リブの上端部が、前記高さ方向において前記第１の電極の前記耳部の下端と同等の位置又はそれより上側に位置しており、
前記第１の電極が正極を含む、鉛蓄電池。
【請求項１０】
前記リブが、一方の前記第１の電極の耳部と、前記一対の内壁のうちの当該耳部に近い方の内壁との間の位置に配置されていないと共に、他方の前記第１の電極の耳部と、前記一対の内壁のうちの当該耳部に近い方の内壁との間の位置に配置されていない、請求項８又は９に記載の鉛蓄電池。
【請求項１１】
前記リブが、前記電槽を前記高さ方向から見たときに、前記第１の電極の前記耳部と、前記一対の内壁のうちの当該耳部に近い方の内壁との間の位置に配置されていない、請求項８〜１０のいずれか一項に記載の鉛蓄電池。
【請求項１２】
前記リブが、前記第２の電極の耳部と、前記一対の内壁のうちの前記第２の電極の前記耳部に近い方の内壁との間の位置に配置されていない、請求項８〜１１のいずれか一項に記載の鉛蓄電池。
【請求項１３】
前記リブが、前記電槽を前記高さ方向から見たときに、前記第２の電極の前記耳部と、前記一対の内壁のうちの前記第２の電極の前記耳部に近い方の内壁との間の位置に配置されていない、請求項１２に記載の鉛蓄電池。
【請求項１４】
複数の電極を有する電極群と、当該電極群を収容する電槽と、を備え、
前記電極群において前記電極が、前記電槽の高さ方向に交差する方向に配列されており、
前記電極群が、前記電極の配列方向における前記電極群の少なくとも一方の端部の最外電極を含む複数の同極の電極を有し、
前記複数の同極の電極のそれぞれの耳部に導電部材が接続されており、
前記電槽が、前記配列方向に対向する一対の内壁と、当該内壁に接すると共に前記高さ方向に延びるリブと、を有し、
前記リブが、前記配列方向における前記導電部材の少なくとも一方の端部と、前記一対の内壁のうちの当該端部に近い方の内壁との間の位置に配置されておらず、
前記リブの上端部が、前記高さ方向において前記導電部材の下端と同等の位置又はそれより下側に位置しており、
前記最外電極が正極を含む、鉛蓄電池。
【請求項１５】
複数の電極を有する電極群と、当該電極群を収容する電槽と、を備え、
前記電極群において前記電極が、前記電槽の高さ方向に交差する方向に配列されており、
前記電極群が、前記電極の配列方向における前記電極群の少なくとも一方の端部の最外電極を含む複数の同極の電極を有し、
前記複数の同極の電極のそれぞれの耳部に導電部材が接続されており、
前記電槽が、前記配列方向に対向する一対の内壁と、前記配列方向に交差する方向に対向する一対の側部と、前記内壁に接すると共に前記高さ方向に延びるリブと、を有し、
前記リブが、前記配列方向における前記導電部材の少なくとも一方の端部と、前記一対の内壁のうちの当該端部に近い方の内壁との間の位置に配置されていないと共に、当該端部に近い方の内壁において、当該端部と、前記一対の側部のうちの当該端部に近い方の側部との間の位置に配置されておらず、
前記最外電極が正極を含む、鉛蓄電池。
【請求項１６】
前記リブが、前記電槽を前記高さ方向から見たときに、前記導電部材の前記端部と、前記一対の内壁のうちの当該端部に近い方の内壁との間の位置に配置されていない、請求項１４又は１５に記載の鉛蓄電池。
【請求項１７】
複数の正極及び複数の負極を有する電極群と、当該電極群を収容する電槽と、を備え、
前記電極群において前記正極及び前記負極が、前記電槽の高さ方向に交差する方向に配列されており、
前記複数の正極のそれぞれの耳部に第１の導電部材が接続されており、
前記複数の負極のそれぞれの耳部に第２の導電部材が接続されており、
前記電槽が、前記正極及び前記負極の配列方向に対向する一対の内壁と、当該内壁に接すると共に前記高さ方向に延びるリブと、を有し、
前記リブが、前記第１の導電部材及び前記第２の導電部材の少なくとも一方において、前記配列方向における当該導電部材の少なくとも一方の端部と、前記一対の内壁のうちの当該端部に近い方の内壁との間の位置に配置されていないと共に、前記電槽を前記高さ方向から見たときに、当該端部に近い方の内壁において前記第１の導電部材と前記第２の導電部材との間の位置のみに配置されており、
前記配列方向における前記電極群の少なくとも一方の端部の最外電極が正極を含む、鉛蓄電池。
【請求項１８】
前記リブが、前記第１の導電部材及び前記第２の導電部材の少なくとも一方において、前記電槽を前記高さ方向から見たときに、前記導電部材の前記端部と、前記一対の内壁のうちの当該端部に近い方の内壁との間の位置に配置されていない、請求項１７に記載の鉛蓄電池。
【請求項１９】
前記高さ方向における前記リブの上端部が、前記電槽の底面側に向かって傾斜する傾斜部を有する、請求項１〜１８のいずれか一項に記載の鉛蓄電池。
【請求項２０】
前記電極群が、集電体と電極材とを備える電極を有し、
前記集電体が、前記耳部と、前記電極材を支持する支持部と、を備え、
前記支持部が、格子部と、当該格子部の一辺に配置されていると共に前記耳部を支持する第１の枠骨と、を有し、前記耳部の突出方向に交差する方向における前記格子部の少なくとも一方の辺に配置された第２の枠骨を有さない、請求項１〜１９のいずれか一項に記載の鉛蓄電池。
【請求項２１】
前記集電体がエキスパンド格子体を有する、請求項２０に記載の鉛蓄電池。
【請求項２２】
前記電極群が、集電体と電極材とを備える電極を有し、
前記集電体が、前記耳部と、前記電極材を支持する支持部と、を備え、
前記支持部が、格子部と、当該格子部の一辺に配置されていると共に前記耳部を支持する第１の枠骨と、前記耳部の突出方向に交差する方向における前記格子部の少なくとも一方の辺に配置された第２の枠骨と、を有する、請求項１〜１９のいずれか一項に記載の鉛蓄電池。
【請求項２３】
前記集電体がパンチング格子体を有する、請求項２２に記載の鉛蓄電池。
【請求項２４】
前記集電体が鋳造格子体を有する、請求項２２又は２３に記載の鉛蓄電池。
【請求項２５】
前記最外電極が、活物質を保持するチューブを有する、請求項１〜２４のいずれか一項に記載の鉛蓄電池。
【発明の詳細な説明】
【技術分野】
【０００１】
本発明は、鉛蓄電池に関する。
【背景技術】
【０００２】
鉛蓄電池は、従来から使用されている二次電池の一つであり、信頼性、価格の安さ等から産業用又は民生用の二次電池として広く用いられている。特に、自動車用鉛蓄電池（いわゆるバッテリー）、バックアップ用鉛蓄電池（ＵＰＳ（Ｕｎｉｎｔｅｒｒｕｐｔｉｂｌｅ  Ｐｏｗｅｒ  Ｓｕｐｐｌｙ）、防災（非常）無線、電話等）、電動フォークリフト等の電動車の動力源（電動車用鉛蓄電池）などとしての需要が多い。【０００３】
鉛蓄電池では、エンドユーザーが任意の頻度で充電を行う。鉛蓄電池では、長期間充電されないと、電解液（硫酸）の成層化が発生し得る。成層化は、比重の大きい硫酸イオン（ＳＯ４２−）が下部に沈降しやすい性質が原因で発生する。成層化が発生すると、電極下部の希硫酸の濃度が高くなり、サルフェーションが発生する。サルフェーションは、放電生成物である硫酸鉛が充電状態に戻りにくい現象である。サルフェーションが進行すると、電池容量が低下し、結晶が負極表面に付着して電極と電解液との接触面積が減り、充電スピードが鈍化し得る。したがって、鉛蓄電池の特性（寿命）が低下し得る。【０００４】
成層化の課題に対して、特許文献１には、耐酸性微多孔性樹脂フィルムシートと耐酸性不織布シートとを積層状態にしたことを特徴とする、鉛蓄電池のセパレータに関する技術が記載されている。
【先行技術文献】
【特許文献】
【０００５】
【特許文献１】特開２００３−２２３８９号公報
【発明の概要】
【発明が解決しようとする課題】
【０００６】
成層化を抑制するためには、電解液を撹拌することが有効である。鉛蓄電池（例えば、フォークリフト用の液式鉛蓄電池）では、消費された放電容量以上に充電を行うことで、電解液の構成成分である水の電気分解を発生（ガッシング）させることが有効である。このガッシングにより、電槽下部に沈降した硫酸イオンが上部に舞い上がり、均一な濃度の電解液になり、成層化を抑制することができる。【０００７】
しかしながら、鉛蓄電池において電解液を撹拌すると、電極から脱落して電解液中に浮遊する電極活物質（特に正極活物質）が電槽内で舞い上がり、電極間の短絡が生じるおそれがある。そのため、鉛蓄電池に対しては、短絡を抑制する手段を施すことが求められる。【０００８】
本発明の一側面は、短絡を抑制可能な鉛蓄電池を提供することを目的とする。
【課題を解決するための手段】
【０００９】
本発明者は、下記の知見を見出すことにより本発明に着想した。すなわち、複数の電極を有する電極群と、当該電極群を収容する電槽と、を備える鉛蓄電池に関して、電極群において電極が、電槽の高さ方向に交差する方向に配列されており、電槽が、電極の配列方向に対向する一対の内壁と、電槽の高さ方向に延びるリブと、を有する場合、電解液を撹拌すると、電解液中に浮遊する電極活物質が電槽内で舞い上がった後、電槽の高さ方向におけるリブの上端部等に電極活物質が堆積し得る。リブの上端部等に電極活物質が堆積すると、電極の配列方向における電極群の少なくとも一方の端部の最外電極の耳部に電極活物質が接触しやすい。また、リブの上端部等に電極活物質が堆積すると、電極の配列方向における電極群の少なくとも一方の端部の最外電極を含む複数の同極の電極のそれぞれの耳部に接続された導電部材に電極活物質が接触しやすい。例えば、電極群と導電部材との間に向かって電極活物質が伸びて耳部又は導電部材に接触しやすい。これにより、最外電極の耳部又は導電部材が、電極活物質を介して、異なる極性の部材に導通することで短絡が生じる。【００１０】
本発明の一側面に係る鉛蓄電池は、複数の電極を有する電極群と、当該電極群を収容する電槽と、を備え、前記電極群において前記電極が、前記電槽の高さ方向に交差する方向に配列されており、前記電槽が、前記電極の配列方向に対向する一対の内壁と、前記高さ方向に延びるリブと、を有し、前記リブが、前記配列方向における前記電極群の少なくとも一方の端部の最外電極の耳部と、前記一対の内壁のうちの前記耳部に近い方の内壁との間の位置に配置されていない。【００１１】
上述の鉛蓄電池では、電槽が、電槽の高さ方向に延びるリブを有するものの、リブが、電極の配列方向における電極群の少なくとも一方の端部の最外電極の耳部と、一対の内壁のうちの前記耳部に近い方の内壁との間の位置に配置されていない。これにより、最外電極の耳部と電槽の内壁との間の位置にリブが配置されている場合と比較してリブと耳部とが離れることから、電槽内で電極活物質が舞い上がった場合であっても、リブの上端部等に堆積した電極活物質が最外電極の耳部に接触することが抑制される。したがって、上述の鉛蓄電池では、最外電極の耳部が、電極活物質を介して、異なる極性の部材（電極等）に導通することが抑制されるため短絡を抑制できる。【００１２】
本発明の他の一側面に係る鉛蓄電池は、複数の電極を有する電極群と、当該電極群を収容する電槽と、を備え、前記電極群において前記電極が、前記電槽の高さ方向に交差する方向に配列されており、前記電極群が、前記電極の配列方向における前記電極群の少なくとも一方の端部の最外電極を含む複数の同極の電極を有し、前記複数の同極の電極のそれぞれの耳部に導電部材が接続されており、前記電槽が、前記配列方向に対向する一対の内壁と、前記高さ方向に延びるリブと、を有し、前記リブが、前記配列方向における前記導電部材の少なくとも一方の端部と、前記一対の内壁のうちの前記端部に近い方の内壁との間の位置に配置されていない。【００１３】
上述の鉛蓄電池では、電槽が、電槽の高さ方向に延びるリブを有するものの、リブが、電極の配列方向における導電部材の少なくとも一方の端部と、一対の内壁のうちの前記端部に近い方の内壁との間の位置に配置されていない。これにより、導電部材の端部と電槽の内壁との間の位置にリブが配置されている場合と比較してリブと導電部材とが離れることから、電槽内で電極活物質が舞い上がった場合であっても、リブの上端部等に堆積した電極活物質が導電部材に接触することが抑制される。したがって、上述の鉛蓄電池では、導電部材が、電極活物質を介して、異なる極性の部材（電極等）に導通することが抑制されるため短絡を抑制できる。
【発明の効果】
【００１４】
本発明の一側面によれば、短絡を抑制可能な鉛蓄電池を提供することができる。本発明の一側面に係る鉛蓄電池は、自動車用鉛蓄電池、バックアップ用鉛蓄電池（ＵＰＳ、防災（非常）無線、電話等の鉛蓄電池）、電動車用鉛蓄電池（電動フォークリフト用鉛蓄電池等）などとして用いることができる。
【図面の簡単な説明】
【００１５】
【図１】図１は、鉛蓄電池の一例を示す斜視図である。
【図２】図２は、図１のＩＩ−ＩＩ線に沿った端面図である。
【図３】図３は、図１のＩＩＩ−ＩＩＩ線に沿った端面図である。
【図４】図４は、図１のＩＶ−ＩＶ線に沿った端面図である。
【図５】図５は、集電体の一例を示す平面図である。
【図６】図６は、電極群の構成部材とリブとの位置関係を説明するための図である。
【図７】図７は、鉛蓄電池の他の例を示す端面図である。
【図８】図８は、鉛蓄電池の他の例を示す端面図である。
【図９】図９は、鉛蓄電池の他の例を示す端面図である。
【図１０】図１０は、リブの各種態様を説明するための図である。
【発明を実施するための形態】
【００１６】
以下、適宜図面を参照しつつ、本発明を実施するための形態について詳細に説明する。但し、本発明は以下の実施形態に限定されるものではない。図面には、互いに直交するＸ軸、Ｙ軸及びＺ軸により規定される直交座標系を示す場合がある。
【００１７】
本明細書において、「〜」を用いて示された数値範囲は、「〜」の前後に記載される数値をそれぞれ最小値及び最大値として含む範囲を示す。本明細書に段階的に記載されている数値範囲において、ある段階の数値範囲の上限値又は下限値は、他の段階の数値範囲の上限値又は下限値と任意に組み合わせることができる。「Ａ又はＢ」とは、Ａ及びＢのどちらか一方を含んでいればよく、両方とも含んでいてもよい。本明細書に例示する材料は、特に断らない限り、１種を単独で又は２種以上を組み合わせて用いることができる。リブが電槽の高さ方向に延びることに関する表現は、リブが電槽の下部（底部）から上部に向かって延びることを意図しており、電槽の底面に対して垂直な方向にリブが延びてよく、電槽の底面に対する垂線に対して傾斜する方向にリブが延びていてもよい。
【００１８】
図１〜６を用いて、鉛蓄電池の一例として鉛蓄電池１００について説明する。鉛蓄電池１００は、電極群１１０と、正極端子１２０と、負極端子１３０と、電槽１４０と、液口栓１５０と、を備えている。鉛蓄電池１００は、一つの電極群を備えている。電槽１４０は、電極群１１０及び電解液Ｅを収容している。電極群１１０の全体は電解液Ｅに浸漬している。
【００１９】
電極群１１０は、複数の電極として、複数の正極１１２及び複数の負極１１４を有している。電極群１１０において電極（正極１１２及び負極１１４）は、電槽１４０の高さ方向（Ｚ軸方向。例えば鉛直方向。以下「高さ方向Ｚ」という）に交差（例えば直交）する方向（正極１１２及び負極１１４の配列方向（積層方向）。Ｘ軸方向。以下「配列方向Ｘ」という）に配列されている。電極群１１０は、セパレータ１１６を更に有している。セパレータ１１６は、袋状であり、負極１１４を収容している。正極１１２及び負極１１４は、セパレータ１１６を介して交互に配置されている。配列方向Ｘにおける電極群１１０の両端部の最外電極は負極１１４である。すなわち、電極群１１０は、最外電極を含む複数の同極の電極として負極１１４を有している。電極群１１０は、最外電極である負極１１４（第１の電極）と、配列方向Ｘにおいて当該最外電極に隣接する正極１１２（第２の電極）と、を有している。
【００２０】
正極１１２は、例えばクラッド式電極である。正極１１２は、複数の管状電極１６０を有している。複数の管状電極１６０は、配列方向Ｘ及び高さ方向Ｚに直交する方向（Ｙ軸方向。以下「方向Ｙ」という）において一列に配列されている。複数の管状電極１６０のそれぞれは、チューブ１６０ａと、チューブ１６０ａ内に挿入された芯金１６０ｂと、チューブ１６０ａ及び芯金１６０ｂの間に充填された正極材１６０ｃと、を有している。正極１１２は、各管状電極１６０の芯金１６０ｂに電気的に接続された耳部１１２ａを有している（図１参照）。耳部１１２ａは、高さ方向Ｚに突出しており、正極１１２の上端部（正極１１２における高さ方向Ｚの上方に位置する部分）における正極１１２の幅方向（Ｙ方向）の一端側の位置に配置されている。
【００２１】
チューブ１６０ａは、活物質を保持するチューブ（活物質を保持するためのチューブ）である。チューブ１６０ａは、筒状の多孔体チューブである。チューブ１６０ａの長手方向に垂直な断面形状としては、円形、楕円形等が挙げられる。チューブ１６０ａは、基材が巻き回されることにより形成されていてよい。例えば、チューブ１６０ａは、チューブ１６０ａの一端から他端に向けて基材が時計回り又は反時計回りに螺旋状に巻き回されることにより形成されていてよい。
【００２２】
チューブ１６０ａの構成材料（チューブ１６０ａを構成する基材の構成材料）としては、ガラス、樹脂材料等が挙げられる。樹脂材料としては、ポリエステル（例えば、ポリエチレンテレフタレート等のポリアルキレンテレフタレート）、ポリオレフィン（ポリエチレン、ポリプロピレン等）、ポリスチレン、ポリ塩化ビニル、ポリ塩化ビニリデン、ポリフッ化ビニリデン、ポリカーボネートなどが挙げられる。チューブ１６０ａは、例えば、基材に保持された樹脂材料を含んでいてもよい。このような樹脂材料としては、スチレン樹脂、アクリル樹脂、エポキシ樹脂等が挙げられる。
【００２３】
チューブ１６０ａは、例えば、繊維状の構成材料（ガラス繊維等）を含んでいてもよい。チューブ１６０ａは、繊維束（ガラス繊維束等）を含んでいてもよい。繊維束は、集束剤を含有していてもよく、例えば、集束剤を用いて繊維を集束させることにより得ることができる。チューブ１６０ａとしては、耐酸性に優れる観点から、ガラスチューブ（ガラス（ガラス繊維束等）を含むチューブ）を用いてよい。ガラスチューブは、Ｃガラスからなる態様であってもよい。
【００２４】
芯金１６０ｂは、チューブ１６０ａの中心部においてチューブ１６０ａの軸方向に延びている。芯金１６０ｂの構成材料としては、導電性材料であればよく、例えば、鉛−カルシウム−錫系合金、鉛−アンチモン−ヒ素系合金等の鉛合金が挙げられる。芯金１６０ｂの軸方向（長手方向）に垂直な断面形状としては、円形、楕円形等が挙げられる。芯金１６０ｂの長さは、例えば１６０〜６５０ｍｍである。芯金１６０ｂの直径は、例えば２．０〜４．０ｍｍである。
【００２５】
正極材１６０ｃは、化成後において正極活物質を含有している。化成後の正極材は、例えば、正極活物質の原料を含む未化成の正極材を化成することで得ることができる。正極活物質の原料としては、鉛粉、鉛丹等が挙げられる。化成後の正極材における正極活物質としては、二酸化鉛等が挙げられる。正極材は、必要に応じて添加剤を更に含有することができる。正極材の添加剤としては、補強用短繊維等が挙げられる。補強用短繊維としては、アクリル繊維、ポリエチレン繊維、ポリプロピレン繊維、ポリエチレンテレフタレート繊維（ＰＥＴ繊維）等が挙げられる。
【００２６】
負極１１４は、板状（電極板）であり、例えばペースト式電極である。負極１１４は、集電体（負極集電体）と、集電体に支持された電極材（負極材）と、を有する。集電体としては、例えば、図５に示す集電体１７０を用いることができる。集電体１７０は、耳部１７２と、電極材を支持する支持部１７４と、を備える。耳部１７２は、支持部１７４の一端から突出している。集電体１７０は、耳部１７２を一つ有している。耳部１７２は、集電体１７０の一端部における支持部１７４の幅方向の一端側（図５の左右方向の左側）の位置に配置されている。
【００２７】
支持部１７４は、格子状の領域である格子部１７４ａと、格子部１７４ａの一辺に配置されていると共に耳部１７２を支持する上枠骨（第１の枠骨）１７４ｂと、を有している。格子部１７４ａは、上枠骨１７４ｂに対して耳部１７２とは反対側に配置されている。格子部１７４ａは、上枠骨１７４ｂに対して交差する方向に延びる格子骨により形成されている。支持部１７４は、耳部１７２の突出方向に交差（例えば直交）する方向における格子部１７４ａの少なくとも一方（例えば両方）の辺に配置された縦枠骨（第２の枠骨）１７４ｃを有さない。電極群１１０におけるいずれの電極（正極又は負極）の集電体も、縦枠骨１７４ｃを有さない支持部１７４を備えてよく、電極群１１０の少なくとも一方の端部の最外電極の集電体が、縦枠骨１７４ｃを有さない支持部１７４を備えてよい。縦枠骨１７４ｃを有さない支持部１７４を備える集電体としては、エキスパンド格子体等が挙げられる。
【００２８】
支持部１７４は、格子部１７４ａと、上枠骨１７４ｂと、縦枠骨１７４ｃと、を有する態様であってもよい。電極群１１０におけるいずれの電極（正極又は負極）の集電体も、縦枠骨を有する支持部を備えてよく、電極群１１０の少なくとも一方の端部の最外電極の集電体が、縦枠骨を有する支持部を備えてよい。縦枠骨を有する支持部を備える集電体としては、パンチング格子体、鋳造格子体等が挙げられる。
【００２９】
負極材は、化成後において負極活物質を含有している。化成後の負極材は、例えば、負極活物質の原料を含む未化成の負極材を化成することで得ることができる。負極活物質の原料としては、鉛粉等が挙げられる。化成後の負極材における負極活物質としては、多孔質の海綿状鉛（Ｓｐｏｎｇｙ  Ｌｅａｄ）等が挙げられる。負極材は、必要に応じて添加剤を更に含有することができる。負極材の添加剤としては、硫酸バリウム、補強用短繊維、炭素材料（炭素質導電材）、界面活性剤（リグニンスルホン酸塩等）などが挙げられる。補強用短繊維としては、正極材と同様の補強用短繊維を用いることができる。炭素材料としては、カーボンブラック、黒鉛等が挙げられる。カーボンブラックとしては、ファーネスブラック（ケッチェンブラック（登録商標）等）、チャンネルブラック、アセチレンブラック、サーマルブラックなどが挙げられる。
【００３０】
セパレータ１１６は、袋状に形成されている。セパレータ１１６は、例えば、１枚のシート状の部材が２つ折りに折りたたまれ、縁部がシールされることにより、袋状に形成されている。セパレータ１１６は、負極１１４を収容しており、負極１１４の耳部１７２以外の部分を収容できる。セパレータ１１６の構成材料としては、正極１１２と負極１１４との電気的な接続を阻止し、且つ、電解液Ｅを透過させる材料であれば特に限定されない。セパレータ１１６の構成材料としては、微多孔性ポリエチレン；ガラス繊維及び合成樹脂の混合物等が挙げられる。
【００３１】
各正極１１２は、極柱１２２及び正極ストラップ１２４を介して、正極端子１２０と電気的に接続されている（図１参照）。極柱１２２は、例えば円柱状である。各正極１１２と極柱１２２とは、正極ストラップ１２４を介して電気的に接続されている。正極ストラップ１２４は、配列方向Ｘに延びる棚部（導電部材）１２４ａを有している。正極ストラップ１２４は、複数の正極ストラップを電気的に接続するための貫通電極を更に有してよい。棚部１２４ａは、正極１１２（複数の同極の電極）のそれぞれの耳部１１２ａに接続されている。棚部１２４ａの全体が電解液Ｅに浸漬することにより棚部１２４ａは電解液Ｅに接触している。耳部１１２ａの全体が電解液Ｅに浸漬することにより耳部１１２ａは電解液Ｅに接触している。
【００３２】
各負極１１４は、極柱１３２及び負極ストラップ１３４を介して、負極端子１３０と電気的に接続されている。極柱１３２は、例えば円柱状である。各負極１１４と極柱１３２とは、負極ストラップ１３４を介して電気的に接続されている。負極ストラップ１３４は、配列方向Ｘに延びる棚部（導電部材）１３４ａを有している。負極ストラップ１３４は、複数の負極ストラップ１３４を電気的に接続するための貫通電極を更に有してよい。棚部１３４ａは、負極１１４（複数の同極の電極）のそれぞれの耳部１７２に接続されている。棚部１３４ａの全体が電解液Ｅに浸漬することにより棚部１３４ａは電解液Ｅに接触している。耳部１７２の全体が電解液Ｅに浸漬することにより耳部１７２は電解液Ｅに接触している。
【００３３】
方向Ｙにおいて、複数の同極の電極（正極又は負極）のそれぞれの耳部に接続された棚部（棚部１２４ａ，１３４ａ）の長さは、耳部（例えば、最外電極の耳部）の長さ以上であってよく、耳部（例えば、最外電極の耳部）の長さを超えてよい。方向Ｙにおいて、棚部１２４ａの長さは、耳部１１２ａの長さ以上であってよく、耳部１１２ａの長さを超えてよい。方向Ｙにおいて、棚部１３４ａの長さは、耳部１７２（例えば、最外電極である負極１１４の耳部１７２）の長さ以上であってよく、耳部１７２（例えば、最外電極である負極１１４の耳部１７２）の長さを超えてよい。
【００３４】
方向Ｙにおける棚部１２４ａ及び／又は棚部１３４ａの長さＡは、下記の範囲であってよい。長さＡは、９ｍｍ以上、１３ｍｍ以上、１７ｍｍ以上、又は、１８ｍｍ以上であってよい。長さＡは、２３ｍｍ以下、２１ｍｍ以下、１７ｍｍ以下、又は、１３ｍｍ以下であってよい。長さＡは、９〜２３ｍｍ、９〜２１ｍｍ、９〜１３ｍｍ、１３〜１７ｍｍ、１７〜２１ｍｍ、又は、１８〜２３ｍｍであってよい。自動車用鉛蓄電池において長さＡは、９〜１３ｍｍ、１３〜１７ｍｍ、又は、１７〜２１ｍｍであってよい。電動車用鉛蓄電池において長さＡは、１８〜２３ｍｍであってよい。
【００３５】
方向Ｙにおける耳部１１２ａ及び／又は耳部１７２の長さＢは、下記の範囲であってよい。長さＢは、９ｍｍ以上、１１．５ｍｍ以上、１３ｍｍ以上、又は、１４ｍｍ以上であってよい。長さＢは、２２ｍｍ以下、１６ｍｍ以下、１４ｍｍ以下、又は、１１．５ｍｍ以下であってよい。長さＢは、９〜２２ｍｍ、９〜１６ｍｍ、９〜１１．５ｍｍ、１１．５〜１４ｍｍ、１４〜１６ｍｍ、又は、１３〜２２ｍｍであってよい。自動車用鉛蓄電池において長さＢは、９〜１１．５ｍｍ、１１．５〜１４ｍｍ、又は、１４〜１６ｍｍであってよい。電動車用鉛蓄電池において長さＢは、１３〜２２ｍｍであってよい。
【００３６】
方向Ｚにおける棚部１２４ａ及び／又は棚部１３４ａの長さ（厚さ。例えば電動車用鉛蓄電池における長さ）は、６〜１３ｍｍであってよい。
【００３７】
電槽１４０は、本体１４２と、蓋１４４と、を有している。本体１４２及び蓋１４４は、例えば、ポリプロピレン等の材料で形成されている。本体１４２は、高さ方向Ｚの端部が開口した箱状である。本体１４２は、電極群１１０及び電解液Ｅを収容する。蓋１４４は、本体１４２の開口を覆う。蓋１４４には、正極端子１２０、負極端子１３０及び注液口が設けられており、当該注液口は液口栓１５０によって閉塞されている。正極端子１２０と負極端子１３０とは、液口栓１５０を間に挟む位置に対向して配置されている。
【００３８】
本体１４２は、互いに対向する一対の側部１４２ａ，１４２ｂと、一対の側部１４２ａ，１４２ｂを連結すると共に互いに対向する一対の側部１４２ｃ，１４２ｄと、底部１４２ｅと、を有している。本体１４２は、一対の側部１４２ａ，１４２ｂ、一対の側部１４２ｃ，１４２ｄ及び底部１４２ｅによって、電極群１１０及び電解液Ｅを収容する空間が画成されている。電極群１１０の最外電極は、一対の側部１４２ａ，１４２ｂと対向している。
【００３９】
電槽１４０は、配列方向Ｘに対向する一対の内壁（電槽１４０を構成する側部１４２ａ，１４２ｂの内壁）１４２ｆ，１４２ｇと、高さ方向Ｚに延びる複数のリブ１４６と、を有している。リブ１４６は、長尺である。リブ１４６は、内壁１４２ｆ，１４２ｇに接している。電槽１４０は、内壁１４２ｆ及び内壁１４２ｇのそれぞれにおいてリブ１４６を複数有している。内壁１４２ｆのリブ１４６と内壁１４２ｇのリブ１４６とは、電極群１１０等を介して互いに対向している。リブ１４６は、内壁１４２ｆ，１４２ｇと一体であってよく、別体であってもよい。配列方向Ｘにおけるリブ１４６の一端は、側部１４２ａ，１４２ｂに接しており、配列方向Ｘにおけるリブ１４６の他端は、セパレータ１１６に接している。
【００４０】
一つの内壁におけるリブ１４６の数は、例えば１〜８本（例えば４本）である。高さ方向Ｚにおけるリブ１４６の長さＣ（最大長さ）は、下記の範囲であってよい。長さＣは、２ｃｍ以上、６ｃｍ以上、７．５ｃｍ以上、又は、１０ｃｍ以上であってよい。長さＣは、３３ｃｍ以下、３０ｃｍ以下、２５ｃｍ以下、２０ｃｍ以下、１９ｃｍ以下、又は、１３ｃｍ以下であってよい。長さＣは、２〜３３ｃｍ、２〜３０ｃｍ、２〜２５ｃｍ、２〜２０ｃｍ、６〜１３ｃｍ、１０〜１９ｃｍ、又は、７．５〜３３ｃｍであってよい。自動車用鉛蓄電池において長さＣは、２〜２０ｃｍ、６〜１３ｃｍ、又は、１０〜１９ｃｍであってよい。電動車用鉛蓄電池において長さＣは、７．５〜３３ｃｍであってよい。リブは、単一の連続的な部材から構成されてよく、複数の部材が断続的に配置されて構成されてよい。複数の部材が断続的に配置されてリブ１４６が構成されている場合、高さ方向Ｚにおけるリブ１４６の長さとしては、最も高い位置に配置された部材の上端と、最も低い位置に配置された部材の下端との間の距離を用いることができる。断続的なリブを構成する複数の部材のそれぞれの長さは、２．５〜７．５ｃｍであってよい。
【００４１】
リブ１４６の長手方向に垂直な断面形状は、例えば矩形状（台形状等）である。リブ１４６の長手方向に垂直な方向の幅Ｄ（最長幅。例えば、方向Ｙの幅）は、下記の範囲であってよい。幅Ｄは、０．５ｍｍ以上、１ｍｍ以上、１．２ｍｍ以上、又は、２ｍｍ以上であってよい。幅Ｄは、６ｍｍ以下、５ｍｍ以下、４ｍｍ以下、３ｍｍ以下、又は、２ｍｍ以下であってよい。幅Ｄは、０．５〜６ｍｍ、０．５〜５ｍｍ、０．５〜４ｍｍ、１〜３ｍｍ、１．２〜２ｍｍ、１〜６ｍｍ、又は、２〜５ｍｍであってよい。自動車用鉛蓄電池において幅Ｄは、０．５〜４ｍｍ、１〜３ｍｍ、又は、１．２〜２ｍｍであってよい。電動車用鉛蓄電池において幅Ｄは、１〜６ｍｍ、又は、２〜５ｍｍであってよい。
【００４２】
リブ１４６の配列方向Ｘの長さ（厚さ。例えば電動車用鉛蓄電池における長さ）は、１．０〜５．０ｍｍであってよい。リブ１４６の断面形状が台形状である場合、長手方向に垂直な方向（方向Ｙ）における少なくとも一方の傾斜部の幅（例えば電動車用鉛蓄電池における傾斜部の幅）は、５〜１０ｍｍであってよい。
【００４３】
高さ方向Ｚにおけるリブ１４６の上端部（例えば上端面）１４６ａは、例えば、水平な平坦部である。リブ１４６の上端部１４６ａは、電解液Ｅに浸漬している。すなわち、リブ１４６の上端部１４６ａは、高さ方向Ｚにおいて電解液Ｅの液面Ｓよりも下側に位置している。
【００４４】
リブ１４６の上端部１４６ａは、高さ方向Ｚにおいて、最外電極である負極１１４の耳部１７２の下端（電槽１４０の底面側の一端。以下同様）と同等の位置又はそれより下側に位置してよく、最外電極である負極１１４の耳部１７２の下端と同等の位置又はそれより上側に位置してよい。リブ１４６の上端部１４６ａは、高さ方向Ｚにおいて、負極１１４の棚部１３４ａの下端（電槽１４０の底面側の一端。以下同様）と同等の位置又はそれより下側に位置してよく、負極１１４の棚部１３４ａの下端と同等の位置又はそれより上側に位置してよい。
【００４５】
図４及び図６に示すように、リブ１４６は、配列方向Ｘにおける電極群１１０の少なくとも一方の端部（本実施形態では両端部）の最外電極である負極１１４の耳部１７２と、一対の内壁１４２ｆ，１４２ｇのうちの最外電極の耳部１７２に近い方の内壁との間の位置Ａ１に配置されていない。位置Ａ１は、最外電極の耳部１７２と、一対の内壁１４２ｆ，１４２ｇのうちの最外電極の耳部１７２に近い方の内壁とが正対する空間である。鉛蓄電池１００は、電槽１４０内の全てのリブ１４６が、最外電極の耳部と、一対の内壁のうちの最外電極の耳部に近い方の内壁との間の位置に配置されていない態様であってよい。なお、図４では、便宜上、位置Ａ１及び後述の位置Ａ２，Ｂ１，Ｂ２における電解液Ｅの図示を省略している。
【００４６】
リブ１４６は、電槽１４０を高さ方向Ｚから見たときに、配列方向Ｘにおける電極群１１０の少なくとも一方の端部（本実施形態では両端部）の最外電極である負極１１４の耳部１７２と、一対の内壁１４２ｆ，１４２ｇのうちの最外電極の耳部１７２に近い方の内壁との間の位置Ａ２に配置されていない。位置Ａ２は、最外電極の耳部１７２と、一対の内壁１４２ｆ，１４２ｇのうちの最外電極の耳部１７２に近い方の内壁とが正対する空間Ａ１（位置Ａ１）、空間Ａ１に対して高さ方向Ｚの正方向側に位置する空間Ａ２、及び、空間Ａ１に対して高さ方向Ｚの負方向側に位置する空間Ａ３を包含する。すなわち、位置Ａ２には、高さ方向Ｚに延びる空隙Ａが形成されている。鉛蓄電池１００は、電槽１４０内の全てのリブ１４６が、電槽１４０を高さ方向Ｚから見たときに、最外電極の耳部と、一対の内壁のうちの最外電極の耳部に近い方の内壁との間の位置に配置されていない態様であってよい。
【００４７】
リブ１４６は、配列方向Ｘにおける棚部１３４ａの少なくとも一方の端部１３４ｂと、一対の内壁１４２ｆ，１４２ｇのうちの前記端部１３４ｂに近い方の内壁との間の位置Ｂ１に配置されていない。位置Ｂ１は、棚部１３４ａの端部１３４ｂと、一対の内壁１４２ｆ，１４２ｇのうちの前記端部１３４ｂに近い方の内壁とが正対する空間である。リブ１４６は、配列方向Ｘにおける棚部１３４ａの一方の端部１３４ｂと、一対の内壁１４２ｆ，１４２ｇのうちの前記一方の端部１３４ｂに近い方の内壁との間の位置、及び、配列方向Ｘにおける棚部１３４ａの他方の端部１３４ｂと、一対の内壁１４２ｆ，１４２ｇのうちの前記他方の端部１３４ｂに近い方の内壁との間の位置に配置されていない。鉛蓄電池１００は、電槽１４０内の全てのリブ１４６が、配列方向Ｘにおける棚部１３４ａの少なくとも一方の端部１３４ｂと、一対の内壁１４２ｆ，１４２ｇのうちの前記端部１３４ｂに近い方の内壁との間の位置に配置されていない態様であってよい。
【００４８】
リブ１４６は、電槽１４０を高さ方向Ｚから見たときに、配列方向Ｘにおける棚部１３４ａの少なくとも一方の端部１３４ｂと、一対の内壁１４２ｆ，１４２ｇのうちの前記端部１３４ｂに近い方の内壁との間の位置Ｂ２に配置されていない。位置Ｂ２は、棚部１３４ａの端部１３４ｂと、一対の内壁１４２ｆ，１４２ｇのうちの前記端部１３４ｂに近い方の内壁とが正対する空間Ｂ１（位置Ｂ１）、空間Ｂ１に対して高さ方向Ｚの正方向側に位置する空間Ｂ２、及び、空間Ｂ１に対して高さ方向Ｚの負方向側に位置する空間Ｂ３を包含する。すなわち、位置Ｂ２には、高さ方向Ｚに延びる空隙Ｂが形成されている。空隙Ｂは、上述の空隙Ａを包含している。リブ１４６は、電槽１４０を高さ方向Ｚから見たときに、配列方向Ｘにおける棚部１３４ａの一方の端部１３４ｂと、一対の内壁１４２ｆ，１４２ｇのうちの前記一方の端部１３４ｂに近い方の内壁との間の位置、及び、配列方向Ｘにおける棚部１３４ａの他方の端部１３４ｂと、一対の内壁１４２ｆ，１４２ｇのうちの前記他方の端部１３４ｂに近い方の内壁との間の位置に配置されていない。鉛蓄電池１００は、電槽１４０内の全てのリブ１４６が、電槽１４０を高さ方向Ｚから見たときに、配列方向Ｘにおける棚部１３４ａの少なくとも一方の端部１３４ｂと、一対の内壁１４２ｆ，１４２ｇのうちの前記端部１３４ｂに近い方の内壁との間の位置に配置されていない態様であってよい。
【００４９】
続いて、鉛蓄電池１００の作用効果について説明する。
【００５０】
鉛蓄電池１００では、電槽１４０が、高さ方向Ｚに延びるリブ１４６を有するものの、リブ１４６が、配列方向Ｘにおける電極群１１０の少なくとも一方の端部の最外電極である負極１１４の耳部１７２と、一対の内壁１４２ｆ，１４２ｇのうちの最外電極の耳部１７２に近い方の内壁との間の位置Ａ１に配置されていない。これにより、位置Ａ１にリブ１４６が配置されている場合と比較してリブ１４６と耳部１７２とが離れることから、電槽１４０内で電極活物質が舞い上がった場合であっても、リブ１４６の上端部１４６ａ等に堆積した電極活物質が、最外電極である負極１１４の耳部１７２に接触することが抑制される。したがって、鉛蓄電池１００では、最外電極である負極１１４の耳部１７２が、電極活物質を介して、異なる極性の部材（正極１１２等）に導通することが抑制されるため短絡を抑制できる。
【００５１】
鉛蓄電池１００では、リブ１４６が、配列方向Ｘにおける電極群１１０の両端部の最外電極である負極１１４の耳部１７２と、一対の内壁１４２ｆ，１４２ｇのうちの最外電極の耳部１７２に近い方の内壁との間の位置Ａ１に配置されていない。したがって、鉛蓄電池１００では、最外電極である負極１１４の耳部１７２が、電極活物質を介して、異なる極性の部材（正極１１２等）に導通することが更に抑制されるため短絡を更に抑制できる。
【００５２】
鉛蓄電池１００では、リブ１４６が、電槽１４０を高さ方向Ｚから見たときに、配列方向Ｘにおける電極群１１０の少なくとも一方の端部の最外電極である負極１１４の耳部１７２と、一対の内壁１４２ｆ，１４２ｇのうちの最外電極の耳部１７２に近い方の内壁との間の位置Ａ２に配置されていない。これにより、位置Ａ２にリブ１４６が配置されている場合と比較してリブ１４６と耳部１７２とが離れることから、電槽１４０内で電極活物質が舞い上がった場合であっても、リブ１４６の上端部１４６ａ等に堆積した電極活物質が、最外電極である負極１１４の耳部１７２に接触することが更に抑制される。したがって、鉛蓄電池１００では、最外電極である負極１１４の耳部１７２が、電極活物質を介して、異なる極性の部材（正極１１２等）に導通することが更に抑制されるため短絡を更に抑制できる。
【００５３】
鉛蓄電池１００では、リブ１４６が、電槽１４０を高さ方向Ｚから見たときに、配列方向Ｘにおける電極群１１０の両端部の最外電極である負極１１４の耳部１７２と、一対の内壁１４２ｆ，１４２ｇのうちの最外電極の耳部１７２に近い方の内壁との間の位置Ａ２に配置されていない。したがって、鉛蓄電池１００では、最外電極である負極１１４の耳部１７２が、電極活物質を介して、異なる極性の部材（正極１１２等）に導通することがより一層抑制されるため短絡をより一層抑制できる。
【００５４】
鉛蓄電池１００では、電槽１４０が、高さ方向Ｚに延びるリブ１４６を有するものの、リブ１４６が、配列方向Ｘにおける棚部１３４ａの少なくとも一方の端部と、一対の内壁１４２ｆ，１４２ｇのうちの前記端部に近い方の内壁との間の位置Ｂ１に配置されていない。これにより、位置Ｂ１にリブ１４６が配置されている場合と比較してリブ１４６と棚部１３４ａとが離れることから、電槽１４０内で電極活物質が舞い上がった場合であっても、リブ１４６の上端部１４６ａ等に堆積した電極活物質が棚部１３４ａに接触することが抑制される。したがって、鉛蓄電池１００では、棚部１３４ａが、電極活物質を介して、異なる極性の部材（正極１１２等）に導通することが抑制されるため短絡を抑制できる。
【００５５】
鉛蓄電池１００では、電槽１４０が、高さ方向Ｚに延びるリブ１４６を有するものの、リブ１４６が、配列方向Ｘにおける棚部１３４ａの一方の端部と、一対の内壁１４２ｆ，１４２ｇのうちの前記一方の端部に近い方の内壁との間の位置、及び、配列方向Ｘにおける棚部１３４ａの他方の端部と、一対の内壁１４２ｆ，１４２ｇのうちの前記他方の端部に近い方の内壁との間の位置に配置されていない。したがって、鉛蓄電池１００では、棚部１３４ａが、電極活物質を介して、異なる極性の部材（正極１１２等）に導通することが更に抑制されるため短絡を更に抑制できる。
【００５６】
鉛蓄電池１００では、リブ１４６が、電槽１４０を高さ方向Ｚから見たときに、棚部１３４ａと、一対の内壁１４２ｆ，１４２ｇのうちの棚部１３４ａに近い方の内壁との間の位置Ｂ２に配置されていない。これにより、位置Ｂ２にリブ１４６が配置されている場合と比較してリブ１４６と棚部１３４ａとが離れることから、電槽１４０内で電極活物質が舞い上がった場合であっても、リブ１４６の上端部１４６ａ等に堆積した電極活物質が棚部１３４ａに接触することが更に抑制される。したがって、鉛蓄電池１００では、棚部１３４ａが、電極活物質を介して、異なる極性の部材（正極１１２等）に導通することが更に抑制されるため短絡を更に抑制できる。
【００５７】
鉛蓄電池１００では、リブ１４６が、電槽１４０を高さ方向Ｚから見たときに、配列方向Ｘにおける棚部１３４ａの一方の端部と、一対の内壁１４２ｆ，１４２ｇのうちの前記一方の端部に近い方の内壁との間の位置、及び、配列方向Ｘにおける棚部１３４ａの他方の端部と、一対の内壁１４２ｆ，１４２ｇのうちの前記他方の端部に近い方の内壁との間の位置に配置されていない。したがって、鉛蓄電池１００では、棚部１３４ａが、電極活物質を介して、異なる極性の部材（正極１１２等）に導通することがより一層抑制されるため短絡をより一層抑制できる。
【００５８】
従来の鉛蓄電池では、上述の縦枠骨を有さない支持部を備える集電体を用いた場合、充放電に伴い電槽の高さ方向に電極が伸びやすいことから、リブの上端部等に堆積した電極活物質と電極とが接触して短絡しやすい。これに対し、鉛蓄電池１００においては、負極１１４が、縦枠骨を有する支持部を備える集電体を備えることにより、充放電に伴い高さ方向Ｚに電極が伸びることを抑制しやすいことから短絡を更に抑制できる。
【００５９】
鉛蓄電池１００では、最外電極が、縦枠骨を有さない支持部を備える集電体を備える場合であっても、リブ１４６と最外電極の耳部１７２とが離れていることから、充放電に伴い高さ方向Ｚに最外電極が伸びやすくても、リブ１４６の上端部１４６ａ等に堆積した電極活物質と最外電極とが接触することが抑制されていることにより短絡を抑制しやすい。
【００６０】
鉛蓄電池１００では、最外電極が、縦枠骨を有する支持部を備える集電体を備えることにより、充放電に伴い高さ方向Ｚに最外電極が伸びることを抑制しやすい。この場合、リブ１４６の上端部１４６ａ等に堆積した電極活物質と最外電極とが接触することが抑制される作用との相乗効果によって短絡を更に抑制できる。
【００６１】
鉛蓄電池１００では、セパレータ１１６が袋状であり、負極１１４の耳部１７２以外の部分がセパレータ１１６に収容されている。この場合、負極１１４がセパレータ１１６で覆われるため短絡を更に抑制できる。
【００６２】
以上、本発明の実施形態について説明してきたが、本発明は必ずしも上述した実施形態に限定されるものではなく、その要旨を逸脱しない範囲で様々な変更が可能である。
【００６３】
例えば、電極の配列方向における電極群の少なくとも一方の端部の最外電極は、負極を含む態様であってよく（鉛蓄電池１００の態様）、正極を含む態様であってよい。電極の配列方向における電極群の両端部の最外電極は、負極であってよく（鉛蓄電池１００の態様）、正極であってもよい。電極の配列方向における電極群の一方の端部の電極が正極であり、且つ、他方の端部の電極が負極である態様であってよい。電極群において正極及び負極の数は、互いに同一であってよく、互いに異なっていてもよい。例えば、正極の数がｎ枚である場合において、負極の数は、ｎ−１枚、ｎ枚、ｎ＋１枚等であってよい。
【００６４】
最外電極が正極を含む場合、リブの上端部は、高さ方向Ｚにおいて、最外電極である正極の耳部の下端（電槽の底面側の一端。以下同様）と同等の位置又はそれより下側に位置してよく、最外電極である正極の耳部の下端と同等の位置又はそれより上側に位置してよい。リブの上端部は、高さ方向Ｚにおいて、正極の棚部の下端（電槽の底面側の一端。以下同様）と同等の位置又はそれより下側に位置してよく、正極の棚部の下端と同等の位置又はそれより上側に位置してよい。
【００６５】
図７は、電極の配列方向における電極群の両端部の最外電極が正極である態様を有する鉛蓄電池１００ａの端面図（鉛蓄電池１００における図２に相当する端面図）である。鉛蓄電池１００ａは、電極群の両端部の最外電極が正極であること以外は鉛蓄電池１００と同様の構成を有している。リブ１４６は、配列方向Ｘにおける電極群１１０の少なくとも一方の端部の最外電極である正極１１２の耳部と、一対の内壁１４２ｆ，１４２ｇのうちの最外電極の耳部に近い方の内壁との間の位置に配置されていない。また、リブ１４６は、配列方向Ｘにおける棚部１２４ａの少なくとも一方の端部１２４ｂと、一対の内壁１４２ｆ，１４２ｇのうちの前記端部１２４ｂに近い方の内壁との間の位置に配置されていない。
【００６６】
鉛蓄電池１００ａによれば、鉛蓄電池１００と同様の効果を得ることができる。例えば、リブ１４６が、最外電極である正極１１２の耳部と、最外電極の耳部に近い方の内壁との間の位置に配置されていないことにより、当該位置にリブ１４６が配置されている場合と比較してリブ１４６と耳部とが離れることから、最外電極である正極１１２の耳部が、電極活物質を介して、異なる極性の部材（負極１１４等）に導通することが抑制されるため短絡を抑制できる。また、リブ１４６が、棚部１２４ａの端部１２４ｂと、端部１２４ｂに近い方の内壁との間の位置に配置されていないことにより、当該位置にリブ１４６が配置されている場合と比較してリブ１４６と棚部１２４ａとが離れることから、棚部１２４ａが、電極活物質を介して、異なる極性の部材（負極１１４等）に導通することが抑制されるため短絡を抑制できる。
【００６７】
図８は、電極の配列方向における電極群の一方の端部の電極が正極であり、且つ、他方の端部の電極が負極である態様を有する鉛蓄電池１００ｂの端面図（鉛蓄電池１００における図２に相当する端面図）である。鉛蓄電池１００ｂは、電極の配列方向における電極群の一方の端部の電極が正極であり、且つ、他方の端部の電極が負極であること以外は鉛蓄電池１００と同様の構成を有している。リブ１４６は、配列方向Ｘにおける電極群１１０の少なくとも一方の端部の最外電極である正極１１２又は負極１１４の耳部と、一対の内壁１４２ｆ，１４２ｇのうちの最外電極の耳部に近い方の内壁との間の位置に配置されていない。また、リブ１４６は、配列方向Ｘにおける棚部１２４ａの少なくとも一方の端部１２４ｂと、一対の内壁１４２ｆ，１４２ｇのうちの前記端部１２４ｂに近い方の内壁との間の位置、及び／又は、配列方向Ｘにおける棚部１３４ａの少なくとも一方の端部１３４ｂと、一対の内壁１４２ｆ，１４２ｇのうちの前記端部１３４ｂに近い方の内壁との間の位置に配置されていない。
【００６８】
鉛蓄電池１００ｂによれば、鉛蓄電池１００と同様の効果を得ることができる。例えば、リブ１４６が、配列方向Ｘにおける電極群１１０の少なくとも一方の端部の最外電極である正極１１２又は負極１１４の耳部と、一対の内壁１４２ｆ，１４２ｇのうちの最外電極の耳部に近い方の内壁との間の位置に配置されていないことにより、当該位置にリブ１４６が配置されている場合と比較してリブ１４６と耳部とが離れることから、最外電極の耳部が、電極活物質を介して、異なる極性の部材に導通することが抑制されるため短絡を抑制できる。また、リブ１４６が、棚部１２４ａの端部１２４ｂ又は棚部１３４ａの端部１３４ｂと、前記端部に近い方の内壁との間の位置に配置されていないことにより、当該位置にリブ１４６が配置されている場合と比較してリブ１４６と棚部とが離れることから、棚部が、電極活物質を介して、異なる極性の部材に導通することが抑制されるため短絡を抑制できる。
【００６９】
鉛蓄電池は、電極群が、最外電極である第１の電極と、電極の配列方向において当該第１の電極に隣接する第２の電極と、を有し、リブが、第２の電極の耳部と、一対の内壁のうちの第２の電極の耳部に近い方の内壁との間の位置に配置されていない態様であってよい。これにより、第２の電極の耳部と電槽の内壁との間の位置にリブが配置されている場合と比較してリブと第２の電極の耳部とが離れることから、電槽内で電極活物質が舞い上がった場合であっても、リブの上端部等に堆積した電極活物質が第２の電極の耳部に接触することが抑制されやすい。したがって、第２の電極の耳部が、電極活物質を介して、異なる極性の部材（電極等）に導通することが抑制されるため短絡を抑制しやすい。第１の電極は、正極であってよく（鉛蓄電池１００ａ，１００ｂの態様）、負極であってもよい（鉛蓄電池１００，１００ｂの態様）。第２の電極は、正極であってよく（鉛蓄電池１００，１００ｂの態様）、負極であってもよい（鉛蓄電池１００ａ，１００ｂの態様）。
【００７０】
鉛蓄電池において電解液を撹拌すると、電極から脱落して電解液中に浮遊する電極活物質として正極活物質が電槽内で舞い上がりやすい。リブの上端部等に正極活物質が堆積すると、異なる極性である負極の耳部又は棚部に正極活物質が接触しやすい。電極群が最外電極として負極を有する場合、上述のとおり、リブが、最外電極の負極の耳部と電槽の内壁との間の位置に配置されていないことにより最外電極の負極の短絡を抑制できる（鉛蓄電池１００，１００ｂの態様）。電極群が、最外電極である正極と、電極の配列方向において当該正極に隣接する負極と、を有する場合（鉛蓄電池１００ａ，１００ｂの態様）において、リブが、当該負極の耳部と、一対の内壁のうちの当該耳部（最外電極である正極に隣接する負極の耳部）に近い方の内壁との間の位置に配置されていないことにより、正極に隣接する負極の耳部が、電極活物質を介して、異なる極性の部材（正極等）に導通することが抑制されるため短絡を抑制しやすい。
【００７１】
鉛蓄電池は、リブが、電槽を高さ方向から見たときに、上述の第２の電極の耳部と、一対の内壁のうちの第２の電極の耳部に近い方の内壁との間の位置に配置されていない態様であってよい。これにより、第２の電極の耳部と電槽の内壁との間の位置にリブが配置されている場合と比較してリブと第２の電極の耳部とが離れることから、電槽内で電極活物質が舞い上がった場合であっても、リブの上端部等に堆積した電極活物質が第２の電極の耳部に接触することが更に抑制されやすい。したがって、第２の電極の耳部が、電極活物質を介して、異なる極性の部材（電極等）に導通することが更に抑制されるため短絡を更に抑制しやすい。
【００７２】
ところで、電極が、活物質を保持するチューブを有する場合、充放電を繰り返すことで、集電体の腐食又は伸び、活物質（電極材）の膨張又は収縮による堆積変化等により、チューブが破れて活物質が漏出したり、チューブの端部を封止する部材とチューブとの結合部（例えば嵌合部）から活物質が漏出したりする場合がある。一方、リブが、活物質を保持するチューブを有する電極の耳部と、一対の内壁のうちの当該耳部に近い方の内壁との間の位置に配置されていない場合、チューブから活物質が漏出しても、短絡が生じることを抑制しやすい。例えば、電極群の最外電極が、活物質を保持するチューブを有してよく（鉛蓄電池１００ａ，１００ｂの態様）、上述の第２の電極が、活物質を保持するチューブを有してよい（鉛蓄電池１００，１００ｂの態様）。
【００７３】
一般的に、鉛蓄電池においては、充放電に伴い、負極と比較して正極が電槽の高さ方向に伸びやすい傾向がある。これに対し、鉛蓄電池１００では、最外電極が正極を含む場合であっても、リブの上端部等に堆積した電極活物質と最外電極とが接触することが抑制されていることにより短絡を抑制できる。また、最外電極である正極において、縦枠骨を有する支持部を備える集電体を用いることにより、正極の伸びを抑制しやすいことから短絡を抑制しやすい。さらに、最外電極である正極において、縦枠骨を有さない支持部を備える集電体を用いた場合であっても、リブの上端部等に堆積した電極活物質と最外電極とが接触することが抑制されていることにより短絡を抑制できる。
【００７４】
正極は、クラッド式電極であってよく（鉛蓄電池１００，１００ａ，１００ｂの態様）、ペースト式電極であってよい。負極は、クラッド式電極であってよく、ペースト式電極であってよい（鉛蓄電池１００，１００ａ，１００ｂの態様）。例えば、図９に示す鉛蓄電池１００ｃは、クラッド式電極である正極１１２に代えて、ペースト式電極である正極１１２ｂを備えること以外は鉛蓄電池１００と同様の構成を有している。正極としてペースト式電極を用いる場合、当該正極は、極性の違いを除き負極１１４と同様の構成を有することができる。
【００７５】
正極ストラップ及び／又は負極ストラップの棚部（導電部材）は、全体が電解液に浸漬することなく電解液に接触してもよい。正極及び／又は負極の耳部は、全体が電解液に浸漬することなく電解液に接触してもよい。電極群は、全体が電解液に浸漬することなく電解液に接触してもよい。
【００７６】
電極群は、セパレータを有してよく、有していなくてもよい。セパレータは、袋状であってよく、袋状でなくてもよい。袋状のセパレータは、正極及び負極からなる群より選ばれる少なくとも一種を収容できる。
【００７７】
鉛蓄電池は、電槽内で電極活物質が舞い上がった場合であっても、リブの上端部等に堆積した電極活物質が最外電極の耳部又は導電部材（棚部等）に接触することが抑制されるため短絡が抑制される観点から、電極の配列方向における電極群の少なくとも一方の端部の最外電極の耳部と、一対の内壁のうちの前記耳部に近い方の内壁との間においてリブが配置されていない位置を少なくとも一つ有する態様、及び／又は、電極の配列方向における導電部材の少なくとも一方の端部と、一対の内壁のうちの前記端部に近い方の内壁との間においてリブが配置されていない位置を少なくとも一つ有する態様を有している。鉛蓄電池は、電極の配列方向における電極群の少なくとも一方の端部の最外電極の耳部と、一対の内壁のうちの前記耳部に近い方の内壁との間においてリブが配置されていない位置を少なくとも一つ有すると共に、電極の配列方向における導電部材の少なくとも一方の端部と、一対の内壁のうちの前記端部に近い方の内壁との間においてリブが配置されていない位置を少なくとも一つ有する態様を有してよい。鉛蓄電池では、最外電極の耳部と、一対の内壁のうちの前記耳部に近い方の内壁との間の位置の全てにおいてリブが配置されていなくてよい。鉛蓄電池では、電極の配列方向における導電部材の少なくとも一方の端部と、一対の内壁のうちの前記端部に近い方の内壁との間の位置の全てにおいてリブが配置されていなくてよい。
【００７８】
一対の内壁のうちの一方の第１の内壁側の第１の端部と、一対の内壁のうちの他方の第２の内壁側の第２の端部と、を有する導電部材を備える鉛蓄電池は、第１の端部と第１の内壁との間の位置にリブが配置されていないと共に、第２の端部と第２の内壁との間の位置にリブが配置されている態様を有してもよい。この場合、第１の端部と第１の内壁との間の距離は、第２の端部と第２の内壁との間の距離と同等又はそれを超えてよく、第２の端部と第２の内壁との間の距離と同等又はそれ未満であってよい。
【００７９】
電極の配列方向に対向する一対の内壁のそれぞれにリブが配置されている場合、リブは互いに対向していなくてもよい。また、電極の配列方向に対向する一の内壁及び他の内壁において、リブの数は、互いに同一であってよく、異なっていてもよい。電極の配列方向に対向する一対の内壁において、リブは、一方の内壁に配置され、且つ、他方の内壁に配置されていなくてよい。
【００８０】
電槽の高さ方向におけるリブの上端部は、水平な平坦部であることに限られない。例えば、リブの上端部は、電槽の底面側に向かって傾斜する傾斜部を有してよい。この場合、リブの上端部に堆積した電極活物質が、上端部に堆積することなく電槽の高さ方向における下方に沈みやすいことから、短絡を抑制しやすい。
【００８１】
傾斜部は、電極の配列方向に傾斜してよく、電極の配列方向及び電槽の高さ方向に交差（例えば直交）する方向に傾斜してもよい。例えば、図１０（ａ）に示すように、リブ１４６の上端部１４６ａは、電極の配列方向及び電槽の高さ方向に直交する方向に傾斜した平坦部１４６ｂを有してよい。電槽の高さ方向におけるリブの上端部は、水平方向に対して傾斜した平坦部であることに限られない。例えば、図１０（ｂ）に示すように、リブ１４６の上端部１４６ａは、湾曲部１４６ｃを有してよい。
【符号の説明】
【００８２】
１００，１００ａ，１００ｂ，１００ｃ…鉛蓄電池、１１０…電極群、１１２，１１２ｂ…正極、１１４…負極、１２４ａ，１３４ａ…棚部（導電部材）、１２４ｂ，１３４ｂ…棚部の端部、１４０…電槽、１４２ｆ，１４２ｇ…内壁、１４６…リブ、１４６ａ…上端部、１７０…集電体、１１２ａ，１７２…耳部、１７４…支持部、１７４ａ…格子部、１７４ｂ…上枠骨（第１の枠骨）、１７４ｃ…縦枠骨（第２の枠骨）、Ａ１，Ａ２，Ｂ１，Ｂ２…位置。
【図１】
0006950840.tif 000002
【図２】
0006950840.tif 000003
【図３】
0006950840.tif 000004
【図４】
0006950840.tif 000005
【図５】
0006950840.tif 000006
【図６】
0006950840.tif 000007
【図７】
0006950840.tif 000008
【図８】
0006950840.tif 000009
【図９】
0006950840.tif 000010
【図１０】
0006950840.tif 000011